(57)【特許請求の範囲】
【請求項１】
被加熱物を加熱する加熱部と、前記加熱部の加熱動作を選択設定するための制御命令を入力する複数のキーを有する操作部と、前記操作部からの入力に基づいて前記加熱部の加熱動作を制御する制御部と、前記操作部で設定されたモード内容を視覚的に表示する表示部と、複数組の音声データを記憶し、前記操作部で入力された設定モード内容に合わせて、前記制御部により、その記憶した複数組の音声データの中から音声データを出力することができる音声出力部と、を備え、同じ設定モード内容を再度選択した場合に、２回目以降に出力する音声データを、初めて選択された１回目に出力する音声データに比べ、簡略化または短く省略された音声データとするとともに、選択され設定されたモードで加熱動作した場合に、前記操作部により、再び同じモードが選択されても、その選択されたモードは初めて選択されたものとし、前記音声出力部は、前記１回目に出力する音声データを出力する加熱調理器。
【請求項２】
前記制御部には、設けたタイマーを備え、前記操作部が操作されてから前記タイマーにより設定された時間以上が経過し、その間前記操作部の入力が無い場合には、再び同じモードが選択されても、その選択されたモードは初めて選択されたものとし、前記音声出力部は、前記１回目に出力する音声データを出力する請求項１に記載の加熱調理器。
【請求項３】
前記操作部には、出力された音声データを再び聞きなおしをすることができる聞きなおしキーを備え、同じモードが選択された場合に、初めて選択された前記１回目に出力する音声データに比べ簡略化された音声データが出力された場合でも、前記聞きなおしキーを複数回、または、前記聞きなおしキーを通常の聞きなおしを行う制御を受け付ける時間以上に長押しすることにより、前記音声出力部は、聞きなおし音声出力データを簡略された音声データではなく、前記１回目に出力する音声データ内容を出力する請求項１または２に記載の加熱調理器。
【発明の詳細な説明】
【技術分野】
【０００１】
本発明は、一般家庭及び業務用として使用される加熱調理器に関するものである。
【背景技術】
【０００２】
従来、この種の加熱調理器は、初心者モードと通常モードとを選択するモード選択キーによって選択されたモードに応じて、音声ガイドの内容や音量を、初心者と熟練者の両方を満足させるように音声ガイドを出力している（例えば、特許文献１参照）。
【先行技術文献】
【特許文献】
【０００３】
【特許文献１】特開２００９−１９３８２２号公報
【発明の概要】
【発明が解決しようとする課題】
【０００４】
しかしながら、前記従来の構成では、使用者がモード選択キーによって、好みのモードに自ら変更する必要があった。また、特に、複数人で一つの同じ加熱調理器を使用する場合においては、熟練者が自分用にモードを設定してしまうと、次に初心者がその加熱調理器を使用した場合には、本来初心者用にとって必要で、案内や注意を促さなければならない内容を初心者に伝えることができずに、誤った使用方法や、最悪の場合には危険な状態にさらすという課題を有していた。
【０００５】
本発明は、前記従来の課題を解決するもので、使用モードの選択時等に出力される音声データにおいて、一度聞けば問題ない内容や、一度聞くことにより、簡略した言い回しでも意味が通じるような音声データに関して、次に同じモード選択をした場合に、初期の音声データに比べて、その内容を簡略化したものや、もしくは、省略したものを出力することにより、音声ガイドが長いためあるいは何度も同内容を聞かなければならない煩わしさを低減した加熱調理器を提供することを目的とする。
【課題を解決するための手段】
【０００６】
前記従来の課題を解決するために、本発明の加熱調理器は、被加熱物を加熱する加熱部と、前記加熱部の加熱動作を選択設定するための制御命令を入力する複数のキーを有する操作部と、前記操作部からの入力に基づいて前記加熱部の加熱動作を制御する制御部と、前記操作部で設定されたモード内容を視覚的に表示する表示部と、複数組の音声データを記憶し、前記操作部で入力された設定モード内容に合わせて、前記制御部により、その記憶した複数組の音声データの中から音声データを出力することができる音声出力部と、を備え、同じ設定モード内容を再度選択した場合に、２回目以降に出力する音声データを、初めて選択された１回目に出力する音声データに比べ、簡略化または省略された音声データとするとともに、選択され設定されたモードで加熱動作した場合に、前記操作部により、再び同じモードが選択されても、その選択されたモードは初めて選択されたものとし、前記音声出力部は、前記１回目に出力する音声データを出力することを可能としたものである。これによって、使用モードの選択時等に出力される音声データにおいて、一度聞けば問題ない内容や、一度聞くことにより、簡略した言い回しでも意味が通じるような音声データに関して、次に同じモード選択をした場合に、初期の音声データに比べて、その内容を簡略化したものや、もしくは、省略したものを出力することが可能となる。また、初期音声データ出力が再び聞くことができなくなる状態を自動的に初期状態にすることができ、もう一度詳細な注意の促しや、説明等の音声データを出力することができる。
【発明の効果】
【０００７】
本発明の加熱調理器は、使用モードの選択時等で、一度聞けば問題ない内容や、一度聞くことにより、簡略した言い回しでも意味が通じるような音声データに関して、音声ガイドが長いためあるいは何度も同内容を聞かなければならない煩わしさを低減することができ、調理作業がスムーズになり、使用効率を向上することができる。また、初期音声データ出力が再び聞くことができなくなる状態を自動的に初期状態にすることができ、もう一度詳細な注意の促しや、説明等の音声データを出力することができる。
【図面の簡単な説明】
【０００８】
【図１】本発明の実施の形態１〜４における加熱調理器のブロック図
【図２】本発明の実施の形態１における加熱調理器の動作フローチャート
【図３】本発明の実施の形態２における加熱調理器の動作フローチャート
【図４】本発明の実施の形態３における加熱調理器の動作フローチャート
【図５】本発明の実施の形態４における加熱調理器の動作フローチャート
【発明を実施するための形態】
【０００９】
第１の発明は、被加熱物を加熱する加熱部と、前記加熱部の動作を設定するための制御命令を入力する複数のキーを有する操作部と、前記操作部からの入力に基づいて前記加熱部の動作を制御する制御部と、前記操作部で入力された内容を視覚的に表示する表示部と、複数組の音声データを記憶し、前記操作部で入力された設定内容に合わせて、前記制御部により、その記憶した複数組の音声データの中から選択された音声データを出力することができる音声出力部と、を備え、同じ設定モード内容を再度選択した場合に、２回目以降に出力する音声データを、初めて選択された１回目に出力する音声データに比べ、簡略化または短く省略された音声データとするとともに、選択され設定されたモードで加熱動作した場合に、前記操作部により、再び同じモードが選択されても、その選択されたモードは初めて選択されたものとし、前記音声出力部は、前記１回目に出力する音声データを出力することにより、音声ガイドが長いもしくは何度も同内容を聞かなければならない煩わしさを低減することができ、調理作業がスムーズになり、使用効率を向上することができる。
【００１０】
また、前記操作部により選択された加熱モードが設定され、加熱動作した場合に、前記操作部により、再び同じモードが選択されても、その選択モードは初めて選択されたものとし、初期の音声データを出力することにより、初期音声データ出力が再び聞くことができなくなる状態を自動的に初期状態にすることができ、もう一度詳細な注意の促しや、説明等の音声データを出力することができる。
【００１１】
第２の発明は、特に、第１の発明において、前記制御部には、設けたタイマーを備え、前記操作部が操作されてからタイマーにより設定された時間以上が経過し、その間前記操作部の入力が無い場合には、再び同じモードが選択されても、その選択されたモードは初めて選択されたものとし、前記音声出力部は、前記１回目に出力する音声データを出力することにより、もう一度注意の促しや、説明等の音声データを出力することができる。また、最初に操作した人と使用者が入れ替わっても、入れ替わった使用者が初期の音声データ内容を聞き漏らすことが無いようにすることができる。
【００１２】
第３の発明は、特に、第１または第２の発明において、前記操作部には、出力された音声データを再び聞きなおしすることができる聞きなおしキーを備え、同じモードが選択された場合に、初めて選択された前記１回目に出力する音声データに比べ簡略化された音声データが出力された場合でも、前記聞きなおしキーを複数回、または、前記聞きなおしキーを通常の聞きなおしを行う制御を受け付ける時間以上に長押しすることにより、前記音声出力部は、聞きなおし音声出力データを簡略化された音声データではなく、前記１回目に出力する音声データ内容を出力するものである。これによって、自動的に初期音声データに戻るのを待つことなく、使用者が好きなときに初期の音声データを確認することができる。
【００１３】
以下、本発明の実施の形態について、図面を参照しながら説明する。なお、この実施形態によって本発明が限定されるものではない。
【００１４】
（実施の形態１）
図１は、本発明の第１〜４の実施の形態における加熱調理器のブロック図を示すものである。
【００１５】
図２は、本発明の第１の実施の形態における動作フローチャートである。
【００１６】
図１において、被加熱物を加熱する加熱部１と、タイマーを備え使用者が操作部２により所定の操作を行うと、操作部２からの入力に基づいて加熱部１と表示部４と音声出力部５に対してそれぞれ制御信号を送信するとともに、操作部２の各種キーの判別、操作された受付回数、選択された設定モード、各種キーの操作時間および操作時間間隔の状態を把握し、音声出力部５に音声データを選択する制御信号を出力する制御部３と、制御部３からの制御信号に基づいて操作部２により選択された加熱モード動作をおこなう加熱部１と、制御部３からの制御信号に基づいて加熱部１の動作状態の表示を行う表示部４と、初期の音声データ、注意などの記憶された音声データの中から制御部３からの制御信号に該当する音声データで出力することができる音声出力部５と、モード選択キー６、開始キー７及び聞きなおしキー８を有した操作部２とで構成している。
【００１７】
以上のように構成された加熱調理器について、以下その動作、作用を図１および図２の動作フロー図により説明をする。
【００１８】
図２において、Ｓｔｅｐ１で加熱調理器を動作させる。次に、Ｓｔｅｐ２で図１の操作部２のモード選択キー６により加熱モードを選択する。次に、Ｓｔｅｐ３は選択されたモードが初めて選択されたのかどうかを判断する。
【００１９】
選択されたモードが初めての場合は、Ｓｔｅｐ４―１へ遷移し、その選択されたモードの受付回数をカウントアップし、次のＳｔｅｐ４―２に遷移する。Ｓｔｅｐ４―２は選択されたモードに合わせた初期の音声データを図１の制御部３が選択し、図１の音声出力部５へ指令を出し、音声データを出力させる。
【００２０】
また、Ｓｔｅｐ３において、選択されたモードの受付回数が２回以上の場合は、Ｓｔｅｐ５で初期の音声データに比べ、簡略化もしくは省略した音声データを出力する。そうすることにより、初期音声データの中で、一度聞けば問題がない内容や、一度聞くことにより、簡略した言い回しでも意味が通じる音声データに関して、次に同じモード設定をした場合に、初期の音声データに比べ簡略化した音声データにすることで、音声ガイドが長いあるいは何度も同内容を聞かなければならない煩わしさ等を低減でき、また使用効率を高めることができる。
【００２１】
（実施の形態２）
本実施の形態においては、図１に示す実施の形態１と同様に構成された加熱調理器について、図３の動作フローチャートにより説明をする。図３のフローチャートにおいて、Ｓｔｅｐ５までは、前記実施の形態１と同じであるために説明を省略する。
【００２２】
Ｓｔｅｐ６は図１の操作部２のキー入力を待つ。次に入力されるキーが図１の開始キー７であった場合は、Ｓｔｅｐ７を介してＳｔｅｐ８へ遷移する。Ｓｔｅｐ８は選択された加熱モードで、図１の加熱部１を制御部３により動作制御する。
【００２３】
次に選択されたモードにより加熱動作が開始された場合は、Ｓｔｅｐ９は選択モード受付回数のカウントをクリアすることにより、次に同じモードが選択されても、初めて選択された場合として、初期の音声データ出力がされる。
【００２４】
このことにより、初期音声データ出力が聞くことができなくなる状態を自動的に初期の音声データにすることができ、もう一度詳しい注意の促しや、説明等の音声データを出力することができる。
【００２５】
また、初期状態に自動的に戻すことにより、最初に操作した人と使用者が入れ替わっても、入れ替わった使用者が特別に音声出力モードを変更しなくても、初期の音声データ内容を聞き漏らすことが無いようにすることができる。
【００２６】
（実施の形態３）
本実施の形態においては、図１に示す実施の形態１と同様に構成された加熱調理器について、図４の動作フローチャートにより説明をする。図４のフローチャートにおいて、Ｓｔｅｐ９までは、実施の形態２と同じであるために説明を省略する。
【００２７】
Ｓｔｅｐ１０は最終のキー入力操作から使用者がタイマーでカウントした一定時間キー入力をしなかった場合、Ｓｔｅｐ１１に移行し、Ｓｔｅｐ１１は選択モード受付回数のカウントをクリアする。
【００２８】
このことにより、次に同じモードが選択されても、初めて選択された場合として、初期の音声データ出力がされる。こうすることで、初期音声データ出力が聞くことができなくなる状態を自動的に初期の音声データにすることができ、もう一度詳しい注意の促しや、説明等の音声データを出力することができる。
【００２９】
また、初期状態に自動的に戻すことにより、最初に操作した人と使用者が入れ替わっても、入れ替わった使用者が特別に音声出力モードを変更しなくても、初期の音声データ内容を聞き漏らすことが無いようにすることができる。
【００３０】
（実施の形態４）
本実施の形態においては、図１に示す実施の形態１と同様に構成された加熱調理器について、図５の動作フローチャートにより説明をする。図５のフローチャートにおいて、Ｓｔｅｐ６までは、実施の形態２と同じであるために説明を省略する。
【００３１】
Ｓｔｅｐ６において、図１の操作部２のキーの入力待ち時に、Ｓｔｅｐ１２は図１の聞きなおしキー８を受け付けた場合に、Ｓｔｅｐ１３へ移行する。聞きなおしキー８の受付けに関して、Ｓｔｅｐ１３は前回の音声出力が初期の音声データであるかの判断を行い、前回が出力の音声データが初期の音声データである場合は、Ｓｔｅｐ１４で初期音声データを出力する。
【００３２】
また、Ｓｔｅｐ１３において、前回の音声出力データが簡略音声データであった場合に、Ｓｔｅｐ１５において、Ｓｔｅｐ１２での聞きなおしキーの入力受付け条件が、複数回のキー入力受付けであるかの判断を行う。
【００３３】
但し、ここでは、複数回のキー入力受付けとしているが、その他に、通常のキー受付け条件と異なるという意味であり、キーの長押しや複数キーの同時押しなどが考えられる。Ｓｔｅｐ１５は複数回のキー入力受付けであるかを判断するにおいて、それが通常の聞きなおしキーの受付けならば、前回の音声出力そのままである簡略音声データを聞きなおしとしてＳｔｅｐ１６において出力する。
【００３４】
また、Ｓｔｅｐ１５において、通常の聞きなおしキーの受付けでないと判断した場合は、初期音声データを聞きなおしとして、Ｓｔｅｐ１４において出力する。このことにより、前記実施の形態３や４により自動的に初期音声データに戻らなくても、使用者が好きなときに手動で初期の音声データを確認することができる。
【産業上の利用可能性】
【００３５】
以上のように、本発明にかかる加熱調理器は、使用モードの選択時等で、一度聞けば問
題ない内容や、一度聞くことにより、簡略した言い回しでも意味が通じるような音声データに関して、次に同じモード選択をした場合に、初期の音声データに比べて、その内容を簡略化したものや、もしくは、省略したものを出力することにより、音声ガイドが長いためあるいは何度も同内容を聞かなければならない煩わしさを低減することができ、調理作業がスムーズになり、使用効率を向上することができるので、加熱調理器だけでなくＡＶ機器などの生活家電の用途にも適用できる。
【符号の説明】
【００３６】
１  加熱部
２  操作部
３  制御部
４  表示部
５  音声出力部
６  モード選択キー
７  開始キー
８  聞きなおしキー
９  タイマー
【図１】
0005577866.tif 000002
【図２】
0005577866.tif 000003
【図３】
0005577866.tif 000004
【図４】
0005577866.tif 000005
【図５】
0005577866.tif 000006